(57)【要約】【課題】  従来の塔婆立て、挿みこみ式・立掛け式では、決まったサイズ（厚み、巾、長さ）の板塔婆２１・経木塔婆２２しか使用出来ず、文字の一部が見えなくなったり、広いスペースが必要であったり、経木塔婆２２が途中で曲がったりした。１台で異なったサイズ（厚み、巾、長さ）の板塔婆２１・経木塔婆２２が複数枚使用出来、さらに混在も出来、設置場所を選ばず、経木塔婆２２が途中で曲がらないことを実現することを課題とする。【解決手段】  本発明は上記課題を達成する為に、塔婆の根元を差込んで支持する形態にし、差込部に固定スペーサー４・取外し式スペーサー５・６を内蔵し、異なったサイズ（厚み、巾、長さ）の板塔婆２１・経木塔婆２２が複数枚使用出来る構造とした。【選択図】図１
2007023678.tif 000002
【特許請求の範囲】
【請求項１】
塔婆の根元を差込んで支持することを特徴とする塔婆立て
【請求項２】
厚みや長さの異なる塔婆が、一度に複数枚使用出来ることを特徴とする請求項１の塔婆立て
【請求項３】
厚みや長さの異なる塔婆が混在して使用出来ることを特徴とする請求項１、請求項２の塔婆立て
【請求項４】
２ミリ以下の薄い塔婆が、途中で曲がらず真直ぐに立てられることを特徴とする請求項１、請求項２、請求項３の塔婆立て
【発明の詳細な説明】
【技術分野】
【０００１】
本発明は、各種の塔婆を立てるための仏具に関する。
【背景技術】
【０００２】
ご先祖様の供養をする時に使われる各種の板塔婆２１・経木塔婆２２を立てるための塔婆立ては、大きく別けて挿みこみ式１４か立掛け式１７の２種類である。
【０００３】
従来の塔婆立て１４・１７は使用出来る厚み、巾、長さ等のサイズに合わせて造られており、大きい塔婆用・小さい塔婆用・経木塔婆用に別けられている。
【０００４】
挿みこみ式の塔婆立て１４の場合では、桟１５の巾で法名、戒名の一部が隠れてしまう。
【０００５】
従来の塔婆立て１４・１７は、台の部分の脚１６，１８が前後に広がっているため広いスペースがいる。
【０００６】
又、経木塔婆２２は２ミリ以下と薄いので長いものは途中で曲がってしまう。又、経木塔婆２２用の塔婆立ては挿みこみ式のみです。
【０００７】
以下、図１０〜図１２により従来の塔婆立て１４・１７について説明する。図において、１４は挿みこみ式の塔婆立てで、１７は立掛け式の塔婆立てである。挿みこみ式塔婆立て１４の場合では、桟１５の間に板塔婆２１を挿みこむ様に立てる。桟１５の間隔は一定寸法であり、決まったサイズの板塔婆２１が使用出来る。又、製品は大きいサイズ用と小さいサイズ用に別けて造られている。経木塔婆２２用の塔婆立ては、桟１５の間隔が狭く造ってあります。又、板塔婆２１・経木塔婆２２に書かれた法名、戒名の一部が桟１５の巾で見えなくなります。又、脚１６はひっくり返らない様に前後に長く造ってある為、広いスペースが必要です。立掛け式塔婆立て１７の場合は、板塔婆２１を前押さえ２０に引掛けて背もたれ１９に立掛ける。又、脚１８はひっくり返らない様に前後に長く造ってあり、小さいサイズ用、大きいサイズ用に別けて造られている。
【０００８】
又、ステンレス鋼などを素材とする、差込式の塔婆立てがある（例えば、特許文献１参照。）。
【０００９】
【特許文献１】特開２００３−３１０４２０号公報
【発明の開示】
【発明が解決しようとする課題】
【００１０】
以上に述べた従来の塔婆立て１４・１７は、スペースに余裕がある場所で決まったサイズの板塔婆２１又は経木塔婆２２だけを使用し、桟１５が法名・戒名にかからない場合については別に問題はないが、スペースの狭い寺院、厚み、巾、長さ等サイズ異なった板塔婆２１を使用する寺院、経木塔婆２２を使用する寺院では、それぞれ専用の塔婆立てを揃えなければならず、非常に不便であり、不経済である。この全ての課題を解決しようとするものである。
【００１１】
本発明は、この全ての課題を解決しようとするものであり、法名・戒名の一部が見えなくならない。厚み、巾、長さの異なるサイズの板塔婆２１・経木塔婆２２が複数枚立てられ、さらに厚み、巾、長さ等の異なる板塔婆２１・経木塔婆２２の混在が出来る。そして、設置場所を選ばない。又、２ミリ以下と薄い経木塔婆２２であっても途中で曲がらない等の全てを実現しようとするものである。
【課題を解決するための手段】
【００１２】
そして、本発明は上記課題を達成するために、塔婆の根元を差込んで支持する形態をとり、内蔵された差込部は板塔婆２１・経木塔婆２２の厚み、巾、長さ等のサイズに合わせてスペーサーを取替えて使用出来る形態を取った。そして、経木塔婆２２用のスペーサー６は差込んだ時に途中で曲がらない様式にした。さらに、台２部分にオモリ１３を内蔵し塔婆立て１がひっくり返らない様にした。
【００１３】
課題解決手段による作用は次の通りである。塔婆の根元を差込んで支持する形態を取ることにより、設置場所を選ばない。法名・戒名の一部が見えなくなることがない。又、サイズに合わせたスペーサー５・６を使用することにより、厚み、巾、長さの異なった板塔婆２１・経木塔婆２２が一つの塔婆立てで複数枚使用出来、厚み、巾、長さの異なった板塔婆２１・経木塔婆２２の混在も出来る。又、オモリ１３を内蔵することにより、重めで通常よりかなり厚い板塔婆等も使用出来る。又、２ミリ以下と薄い経木塔婆２２が途中で曲がらない。
【発明の効果】
【００１４】
法名や戒名の一部が隠れて見えなくなることがありません。
【００１５】
設置場所を選びません。
【００１６】
異なったサイズ（厚み・巾・長さ）の板塔婆２１・経木塔婆２２がこれ一台で複数枚使用出来、異なったサイズの板塔婆２１・経木塔婆２２の混在も出来る。
【００１７】
一台で異なったサイズ（厚み・巾・長さ）の板塔婆２１・経木塔婆２２が複数枚使用出来るので経済的である。
【００１８】
２ミリ以下と薄い経木塔婆２２が真直ぐ立ち途中で曲がりません。
【発明を実施するための最良の形態】
【００１９】
以下、本発明の実施の形態を図１〜図９に基づいて説明する。１は、塔婆の根元を差込んで支持する形態の塔婆立てで、２は台部分、蓋３、固定スペーサー４、取外し式スペーサー５、取外し式スペーサー経木塔婆用６、差込板（間仕切り板スペーサー４用）７、差込板（間仕切り板スペーサー５用）８、ミゾ９、スペーサー６用支持棒の半丸軸１０・４分の１丸軸１１である。又、塔婆の根元を差込んで支持する形態の塔婆立ての商品例（蓮台型塔婆立て）１２で、オモリ１３、板塔婆２１、経木塔婆２２、別タイプの経木塔婆用取外し式スペーサー２３、別タイプの経木塔婆用スペーサーの差込用の支持棒２４である。
【００２０】
塔婆の根元を差込んで支持する形態の塔婆立て１は、ひっくり返らない様に、台２にオモリ８を内蔵しており、塔婆の根元を差込んで支持する形態にすることで、異なったサイズ（厚み・巾・長さ）を１台で使用出来る様になった。
【００２１】
台２に固定してあるスペーサー４は通常の板塔婆２１よりもかなり厚みのある板塔婆を、立てる為のものであり、板塔婆の巾に合わせてミゾ９に間仕切り板７を使って仕切る。これで、板塔婆は横方向に倒れない。
【００２２】
又、取外し式スペーサー５は数個に別けて造ってあり、固定スペーサー４の中に取付けて使用する。又、ミゾ９を備え板塔婆２１の巾に合わせて間仕切り板８で仕切る。スペーサー５は通常の厚みの板塔婆２１用である。
【００２３】
取外し式スペーサー６は、数個に別けて造ってあり、固定式スペーサー４の中に取外し式スペーサー５を入れてから取付ける。スペーサー６は経木塔婆２２用である。又、支持部の差込み部分に半丸状の軸１０が中央に取付けてあり、４分の一丸状の軸１１が両端に取付けてあり、スペーサー６が１個で経木塔婆２２を１枚に使用する。軸１０・１１に挿みこむ様に差込んだ経木塔婆２２は真直ぐに立ち、途中で曲がりません。又、軸部分は半丸に限定されず棒状であればよく材質も形状も限定しない。
【００２４】
又、スペーサー４・５・６を部分的に取付ける事でサイズ（厚み・巾・長さ）の違う板塔婆２１・経木塔婆２２を混在して使用出来る。又、外部の造り・内蔵されるスペーサー４・５・６については材質・形状・大きさを限定しない。
【００２５】
又、蓋３の部分は色々なデザイン的な仕様が施せ、塔婆の根元を差込んで支持する形態の塔婆立ての商品例として蓮台座仕様の塔婆立て１２等、色々な形状の商品が出来る。
【００２６】
以上の様に塔婆の根元を差込んで支持する形態にしてスペーサー４・５・６等を備え、オモリ１３を内蔵する事で異なったサイズ（厚み・巾・長さ）の板塔婆２１・経木塔婆２２がこれ１台で使用出来、設置場所を選ばない、塔婆の根元を差込んで支持する形態の塔婆立て１が出来上がり、課題の全てを達成出来る。
【図面の簡単な説明】
【００２７】
【図１】本発明の実施形態を示す詳細斜視図
【図２】塔婆立て本体１の上面図
【図３】図２のＡａ〜Ａｂの断面正面図
【図４】台２にスペーサー４を取付けた上面図
【図５】取外し式スペーサー５の斜視図
【図６】取外し式スペーサー６の斜視図
【図７】商品例、蓮台座仕様の塔婆立て正面図
【図８】別タイプの経木塔婆用スペーサーの斜視図
【図９】図８のスペーサーに経木塔婆を差込んだ状態の上面図
【図１０】従来の挿みこみ式塔婆立ての上面図
【図１１】同、挿みこみ式塔婆立て正面図
【図１２】従来の立掛け式塔婆立て斜視図
【符号の説明】
【００２８】
１    塔婆の根元を差込んで支持する形態の塔婆立て本体
２    台部分
３    蓋部分
４    固定スペーサー（かなり厚みのある板塔婆用）
５    取外し式スペーサー（板塔婆用）
６    取外し式スペーサー（経木塔婆用）
７    固定スペーサー４用仕切り板
８    取外し式スペーサー５用仕切り板
９    スペーサー４・５のミゾ
１０  取外し式スペーサー６の支持棒である中央部分にある半丸軸
１１  同、両端にある４分の１丸軸
１２  商品例、蓮台座仕様の塔婆立て
１３  オモリ
１４  従来の塔婆立て、挿みこみ式塔婆立て
１５  同、挿みこみ部の桟
１６  同、脚
１７  従来の塔婆立て、立掛け式塔婆立て
１８  同、脚
１９  立掛け部の桟
２０  前押さえ部
２１  板塔婆
２２  経木塔婆
２３  別タイプの経木塔婆用スペーサー
２４  別タイプの経木塔婆用スペーサーの支持棒である丸軸
【図１】
2007023678.tif 000003
【図２】
2007023678.tif 000004
【図３】
2007023678.tif 000005
【図４】
2007023678.tif 000006
【図５】
2007023678.tif 000007
【図６】
2007023678.tif 000008
【図７】
2007023678.tif 000009
【図８】
2007023678.tif 000010
【図９】
2007023678.tif 000011
【図１０】
2007023678.tif 000012
【図１１】
2007023678.tif 000013
【図１２】
2007023678.tif 000014